(57)【要約】【課題】可搬型のＦＰＤと、複数の制御端末を複数の撮影室で使用した場合であっても、ＦＰＤの特性情報を一元管理可能で、効率よく特性情報の呼び出し及び放射線画像データへの演算処理が可能な放射線画像撮影システムを提供する。【解決手段】放射線画像検出装置６が何れかの撮影室の所定範囲内に進入した場合には、ＲＦＩＤタグリーダ８が読み取った識別情報を、該撮影室が対応付けられている制御端末７に送信し、識別情報を受信した制御端末７は、管理サーバ２から、受信した識別情報に対応する特性情報を予め取得しておき、該識別情報に対応する放射線画像検出装置６から放射線画像データを取得した際に、取得しておいた特性情報により該放射線画像データに対して演算処理を行う。【選択図】図７
2010057708.tif 000002
【特許請求の範囲】
【請求項１】
複数の撮影室にそれぞれ設けられた放射線照射装置からの放射線に基づいて放射線画像データを取得する可搬型であって、識別情報が記録されたＲＦＩＤタグを備える、少なくとも一つの放射線画像検出装置と、
該放射線画像検出装置が撮影室の所定範囲内に進入すると前記ＲＦＩＤタグに記録された識別情報を読み取るＲＦＩＤタグリーダと、
放射線画像検出装置の識別情報に対応する特性情報を記憶する管理サーバと、
前記撮影室が対応付けられており、前記放射線画像検出装置が取得した放射線画像データを該放射線画像検出装置の識別情報と対応付けて管理する複数の制御端末と、
を有し、それぞれがネットワークにより互いに通信可能な放射線画像撮影システムであって、
前記放射線画像検出装置が何れかの撮影室の所定範囲内に進入した場合に、進入を検知したＲＦＩＤタグリーダは、読み取った前記識別情報を該撮影室が対応付けられている制御端末に送信し、
前記識別情報を受信した制御端末は、前記管理サーバから、受信した前記識別情報に対応する前記特性情報を予め取得しておき、該識別情報に対応する放射線画像検出装置から放射線画像データを取得した際に、取得しておいた前記特性情報により該放射線画像データに対して演算処理を行うことを特徴とする放射線画像撮影システム。
【請求項２】
前記放射線画像検出装置は、照射された放射線量に応じたエネルギーを電荷量に変換して蓄積する複数の検出素子を２次元状に配置した撮像パネルを備えた画像データ生成部を、有し、
前記特性情報は、前記画像データ生成部におけるゲイン特性、オフセット特性、欠陥素子の位置情報、の少なくとも一つを含む撮影感度情報であることを特徴とする請求項１に記載の放射線画像撮影システム。
【請求項３】
複数の前記放射線照射装置間では、複数種類のＸ線管球を用いており、
前記特性情報は、
前記撮影感度情報及び、前記Ｘ線管球の種類に対応した前記ゲイン特性であることを特徴とする請求項２に記載の放射線画像撮影システム。
【請求項４】
複数の撮影室にそれぞれ設けられた放射線照射装置からの放射線に基づいて放射線画像データを取得する可搬型であって、識別情報が記録されたＲＦＩＤタグを備える、少なくとも一つの放射線画像検出装置と、
該放射線画像検出装置が撮影室の所定範囲内に進入すると前記ＲＦＩＤタグに記録された識別情報を読み取るＲＦＩＤタグリーダと、
放射線画像検出装置の識別情報に対応する特性情報を記憶する管理サーバと、
前記撮影室が対応付けられており、前記放射線画像検出装置が取得した放射線画像データを該放射線画像検出装置の識別情報と対応付けて管理する複数の制御端末と、
を有し、それぞれがネットワークにより互いに通信可能な放射線画像撮影システムであって、
前記放射線画像検出装置が何れかの撮影室の所定範囲内に進入した場合に、進入を検知したＲＦＩＤタグリーダは、読み取った識別情報を前記管理サーバに通知し、
前記管理サーバは、前記放射線画像検出装置が進入した撮影室が対応付けられている制御端末を判別し、
前記管理サーバは、受信した前記識別情報に対応する前記特性情報を、該制御端末に送付し、
該制御端末は、識別情報に対応する放射線画像検出装置から放射線画像データを取得した際に、取得しておいた前記特性情報により該放射線画像データに対して演算処理を行うことを特徴とする放射線画像撮影システム。
【発明の詳細な説明】
【技術分野】
【０００１】
本発明は放射線画像撮影システムに関し、無線通信を行う可搬型の放射線画像検出装置を用いる放射線画像撮影システムに関する。
【背景技術】
【０００２】
被検体に放射線を照射し、被検体を透過した放射線を検出して放射線画像を得る方法としては、近年、デジタル方式の放射線撮像装置が用いられている。このような放射線撮像装置としては、いわゆるＦＰＤ（Ｆｌａｔ  Ｐａｎｅｌ  Ｄｅｔｅｃｔｏｒ）がある。
【０００３】
ＦＰＤとは、基板上に複数の検出素子を２次元的に配列したものであり、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものである。
【０００４】
また、半導体製造技術の向上により小型、薄型化が図られており、更に、特許文献１においては、このような薄型ＦＰＤと無線通信可能な通信手段を有したＸ線撮像装置が開示されている。
【０００５】
ＦＰＤから得られた放射線画像を用いて診断を精度よく行う場合には、得られた放射線画像データに対して当該ＦＰＤの特性に合わせて演算処理を行うことが好ましい。特許文献２においては、ＦＰＤのゲイン特性、オフセット特性、欠陥画素、Ｘ線曝射時間等の撮像素子による撮影の条件に関する特性情報をそれぞれのＦＰＤのメモリに記憶させておき、当該記憶した特性情報を用いて演算処理等を行うＸ線撮影システムが開示されている。
【特許文献１】特開２００４−１８０９３１号公報
【特許文献２】特開平１１−１１３８８９号公報
【発明の開示】
【発明が解決しようとする課題】
【０００６】
特許文献２に記載のＸ線撮影システムでは、ＦＰＤのメモリに特性情報を記憶させているので、演算処理を行うコントロール部等の制御端末では、ＦＰＤから放射線画像データとともに特性情報の読み出し処理を行う必要がある。
【０００７】
処理の効率化の観点からは、制御端末に予めそれぞれのＦＰＤに対応した特性情報を記憶させておくことが望ましい。しかし、可搬型のＦＰＤを用いた撮影室及び制御端末が複数ある放射線画像撮影システムにおいては、ＦＰＤを更新する場合に全ての制御端末に記憶させた特性情報を更新する必要があり煩わしいという問題あった。
【０００８】
また可搬型のＦＰＤを用いたシステムにおいては、ＦＰＤを複数の撮影室間を頻繁に移動させて使用するために、移動に伴い、操作者の操作により移動元の撮影室に対応する制御端末から移動先の撮影室に対応する制御端末にＦＰＤの特性情報を転送させることは、特性情報の呼び出し忘れや、処理の繁雑化の観点から好ましくない。
【０００９】
本願発明の目的は上記問題に鑑み、可搬型のＦＰＤと、複数の制御端末を複数の撮影室で使用した場合であっても、ＦＰＤの特性情報を一元管理可能で、効率よく特性情報の呼び出し及び放射線画像データへの演算処理が可能な放射線画像撮影システムを提供することである。
【課題を解決するための手段】
【００１０】
１．複数の撮影室にそれぞれ設けられた放射線照射装置からの放射線に基づいて放射線画像データを取得する可搬型であって、識別情報が記録されたＲＦＩＤタグを備える、少なくとも一つの放射線画像検出装置と、
該放射線画像検出装置が撮影室の所定範囲内に進入すると前記ＲＦＩＤタグに記録された識別情報を読み取るＲＦＩＤタグリーダと、
放射線画像検出装置の識別情報に対応する特性情報を記憶する管理サーバと、
前記撮影室が対応付けられており、前記放射線画像検出装置が取得した放射線画像データを該放射線画像検出装置の識別情報と対応付けて管理する複数の制御端末と、
を有し、それぞれがネットワークにより互いに通信可能な放射線画像撮影システムであって、
前記放射線画像検出装置が何れかの撮影室の所定範囲内に進入した場合に、進入を検知したＲＦＩＤタグリーダは、読み取った前記識別情報を該撮影室が対応付けられている制御端末に送信し、
前記識別情報を受信した制御端末は、前記管理サーバから、受信した前記識別情報に対応する前記特性情報を予め取得しておき、該識別情報に対応する放射線画像検出装置から放射線画像データを取得した際に、取得しておいた前記特性情報により該放射線画像データに対して演算処理を行うことを特徴とする放射線画像撮影システム。
【００１１】
２．複数の撮影室にそれぞれ設けられた放射線照射装置からの放射線に基づいて放射線画像データを取得する可搬型であって、識別情報が記録されたＲＦＩＤタグを備える、少なくとも一つの放射線画像検出装置と、
該放射線画像検出装置が撮影室の所定範囲内に進入すると前記ＲＦＩＤタグに記録された識別情報を読み取るＲＦＩＤタグリーダと、
放射線画像検出装置の識別情報に対応する特性情報を記憶する管理サーバと、
前記撮影室が対応付けられており、前記放射線画像検出装置が取得した放射線画像データを該放射線画像検出装置の識別情報と対応付けて管理する複数の制御端末と、
を有し、それぞれがネットワークにより互いに通信可能な放射線画像撮影システムであって、
前記放射線画像検出装置が何れかの撮影室の所定範囲内に進入した場合に、進入を検知したＲＦＩＤタグリーダは、読み取った識別情報を前記管理サーバに通知し、
前記管理サーバは、前記放射線画像検出装置が進入した撮影室が対応付けられている制御端末を判別し、
前記管理サーバは、受信した前記識別情報に対応する前記特性情報を、該制御端末に送付し、
該制御端末は、識別情報に対応する放射線画像検出装置から放射線画像データを取得した際に、取得しておいた前記特性情報により該放射線画像データに対して演算処理を行うことを特徴とする放射線画像撮影システム。
【発明の効果】
【００１２】
本発明によれば、可搬型のＦＰＤと、複数の制御端末を複数の撮影室で使用した場合であっても、ＦＰＤの特性情報を一元管理可能で、効率よく特性情報の呼び出し及び放射線画像データへの演算処理が可能な放射線画像撮影システムを提供することができる。
【発明を実施するための最良の形態】
【００１３】
本発明を実施の形態に基づいて説明するが、本発明は該実施の形態に限られない。
【００１４】
図１、図２に基づいて放射線画像撮影システム１について説明する。図１は、本実施形態における放射線画像撮影システム１の概略構成を示す図であり、図２は撮影室１００の構成を示す図である。
【００１５】
放射線画像撮影システム１は、図１、図２に示すように、放射線撮影に関する情報を管理する管理サーバ２と、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６（以下、ＦＰＤ６と称す）により生成された放射線画像データに演算処理を行うコンソール７（制御端末）とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００１６】
１００ａ、１００ｂ、１００ｃは撮影室である。これらの撮影室は同様の構成をしており、以下これらを単に撮影室１００とも称して説明する。図２に示すように撮影室１００は、鉛などでシールドされた撮影本室１０２とその手前側に配置された前室１０１とを備えている。撮影操作装置４、アクセスポイント５及びＦＰＤ６に内蔵されたタグを検出するＲＦＩＤタグリーダ８は前室１０１に設置されており、また、患者１２に放射線を照射する放射線照射装置３は撮影本室１０２に設置されている。そして、撮影操作装置４には、ケーブルＣ１を介して放射線照射装置３が接続され、ケーブルＣ２を介してＲＦＩＤタグリーダ８が接続されている。
【００１７】
保管室２００は、シンチレータ（発光層）の種類やサイズの異なる複数のＦＰＤ６を一括して保管するための部屋である。この保管室２００は、保管されたＦＰＤ６を複数の放射線技師が共通して使用できるように放射線撮影室１００の外に設けられている。
【００１８】
図１に示す例においては、コンソール７ａは撮影室１００ａに、コンソール７ｂは撮影室１００ｂに、コンソール７ｃは撮影室１００ｃにそれぞれ対応付けられている。なお本実施形態においては撮影室とコンソール７とが一対一に対応する例を示しているがこれに限られず、複数の撮影室１００を一のコンソール７に対応付けるようにしてもよい。
【００１９】
放射線照射装置３は、臥位撮影台１１に横たわっている被写体である患者１２に対して放射線を照射するようになっており、臥位撮影台１１の下方には、ＦＰＤ６を装着する検出装置装着口１１ａが設けられている。放射線照射装置３は、撮影操作装置４により制御されて所定の撮影条件で放射線撮影を行うようになっている。またコンソール７と放射線照射装置３とは当該撮影操作装置４を介して接続されている。なお放射線照射装置３と検出装置装着口１１ａに装着したＦＰＤ６との撮影タイミングの同期は、アクセスポイント５を経由した無線通信により、コンソール７により行うようにしてもよい。
【００２０】
放射線照射装置３は、Ｘ線管球としての高圧電源３１、フィラメント３２、回転陽極３３を備えている。回転陽極３３はロータあるいはターゲットとも称されるものであり、重金属からなり、不図示の駆動モータにより所定の回転数で回転される。フィラメント３２に高圧電源３１により高電圧、例えば２０ｋｖ〜１５０ｋｖを印加することにより電子線を発生させ、電子線を加速して回転陽極３３に衝突させることによりＸ線を発生させる。
【００２１】
重金属の種類としてはタングステン、ロジウム、モリブデン、クロム等を用いることができ、ターゲットの種類によってＸ線管球は異なる特性を示すことになる。
【００２２】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｇ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００２３】
［管理サーバ２］
管理サーバ２はコンピュータで構成されており、管理サーバ２を構成する各部を制御する制御部、各種情報やユーザの指示を入力する入力操作部、及び、各種情報を記憶する記憶装置等が設けられている（いずれも図示しない）。
【００２４】
管理サーバ２には、データベース２１が備え付けられている。データベース２１には、ＦＰＤ６の識別ＩＤ（識別情報として機能する）に対応付けられて特性情報が記憶されている。ここでいう「特性情報」とは、放射線の入射エネルギーを電気信号に変換した際の、ゲイン特性及びオフセット特性に加え、入射エネルギーに対しての感度が所定値より低い又は非線形な特性を有する欠陥画素の位置情報を含む情報のことである。
【００２５】
［コンソール７］
図３は、「制御端末」として機能するコンソール７の要部構成を示すブロック図である。コンソール７は、図３に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。
【００２６】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００２７】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、表示部７７の表示画面を覆う透明なシートパネルに、指又は専用のスタイラスペンで触れることにより入力される位置情報を入力信号として制御部７４に出力する、いわゆる、タッチパネルにより構成されていてもよい。
【００２８】
特に、本実施形態に係る放射線画像撮影システム１においては、入力操作部７８は、放射線撮影を行う患者情報や撮影感度情報等の撮影オーダ情報の入力及び、当該撮影オーダ情報と撮影した放射線画像データとの対応付けを行う際にＦＰＤ６の識別ＩＤ等を表示し、更にその際に対応付け確認画面指示を入力するようにしてもよい。ここで識別ＩＤとは、各々のＦＰＤ６を識別するために各ＦＰＤ６に付されるユニークな識別情報である。
【００２９】
また、表示部７７には、入力操作部７８から入力された患者情報、撮影感度情報等に基づいて作成された撮影オーダ情報が表示され、入力操作部７８は、この撮影オーダ情報の中から撮影を行う撮影オーダを選択可能となっている。
【００３０】
また、入力操作部７８は、所定操作に基づいてＦＰＤ６による検出結果により得られた放射線画像データの転送指示に係る信号を制御部７４に対して出力する。本実施形態においては、撮影によって得られた放射線画像データは、コンソール７に転送され、コンソール７の制御部７４において、撮影オーダ情報と対応付けられる。撮影オーダ情報と対応付けられた放射線画像データは、必要に応じて記憶部７０に保存され、又は管理サーバ２等の外部装置に転送される。
【００３１】
記憶部７０には、データベース２１に記憶している各ＦＰＤの識別ＩＤに対応した特性情報を必要に応じて取得しておく。詳細に関しては後述する。
【００３２】
画像処理部７２では、ＦＰＤ６から取得した放射線画像データに対して、記憶部７０に記憶しておいた当該ＦＰＤ６の識別ＩＤに対応する特性情報を用いて、放射線画像データのゲイン補正あるいはオフセット補正、欠陥画素の補正等の演算処理を行うことができる。
【００３３】
通信部７９によりネットワークＮに接続された各装置と通信する。そして当該通信部７９によりネットワークＮに接続されているアクセスポイント５を介して無線ＬＡＮ等の無線通信方式によりＦＰＤ６との間で各種情報の通信を行う。
【００３４】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３５】
［ＦＰＤ６］
以下、図４乃至図６を用いて、ＦＰＤ６の構成について説明する。図４は、ＦＰＤ６の斜視図である。図４に示すように、ＦＰＤ６は、内部を保護する筐体６１を備えており、カセッテとして携帯可能に構成されている。
【００３６】
筐体６１の内部には、照射された放射線を電気信号に変換する撮像パネル６２が層を成して形成されている。この撮像パネル６２における放射線の照射面側には、入射された放射線の強度に応じて発光を行う発光層６００ａが設けられている。
【００３７】
発光層６００ａは、一般にシンチレータ層（単にシンチレータともいう）と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３８】
ＦＰＤによっては、異なる発光層６００ａを用いている場合があり、発光層で用いられる蛍光体種類が一致しない場合には、感度、粒状性や鮮鋭性が大きく異なることとなるので適切な演算処理も異なることになる。
【００３９】
この発光層６００ａで用いられる蛍光体は、例えば、ＣａＷＯ４等を母体とするものや、ＣｓＩ：ＴｌやＧｄ２Ｏ２Ｓ：Ｔｂ、ＺｎＳ：Ａｇ等の母体内に発光中心物質が賦活されたものを用いることができる。また、希土類元素をＭとしたとき、（Ｇｄ、Ｍ、Ｅｕ）２Ｏ３の一般式で示される蛍光体を用いることができる。特に、放射線吸収及び発光効率が高いことよりセシウムアイオダイドＣｓＩ：Ｔｌ（以下、ＣＳＩと称す）、ガドリニウムオキシサルファイドＧｄ２Ｏ２Ｓ：Ｔｂ（以下、ＧＯＳと称す）、が好ましく、これらを用いることで、ノイズの低い高画質の画像を得ることができる。
【００４０】
またこれらの蛍光体の発光効率によりＦＰＤ６への照射された放射線量に対する放射線検出感度が異なることになる。当該放射線検出感度等の特性情報はそれぞれのＦＰＤ６に付与した識別情報により、管理サーバ２により管理されている。
【００４１】
この発光層６００ａの放射線が照射される側の面と反対側の面には、発光層６００ａから出力された電磁波（光）を電気エネルギーに変換して蓄積し、蓄積された電気エネルギーに基づく画像信号の出力を行う光電変換部がマトリクス状に配列された信号検出部６００ｂが形成されている。なお、１つの光電変換部から出力される信号が、放射線画像データを構成する最小単位となる１画素に相当する信号となる。
【００４２】
ここで、撮像パネル６２の回路構成について説明する。図５は、光電変換部を２次元に配列した信号検出部６００ｂの等価回路図である。図５に示すように、光電変換部の構成は、フォトダイオード６０１と、フォトダイオード６０１で蓄積された電気エネルギーをスイッチングにより電気信号として取り出す薄膜トランジスタ（Ｔｈｉｎ  Ｆｉｌｍ  Ｔｒａｎｓｉｓｔｏｒ：ＴＦＴ）６０２とから構成されている。
【００４３】
取り出された電気信号は、増幅器６０３により信号読み出し回路６０８が検出可能なレベルにまで増幅される。なお、増幅器６０３には、ＴＦＴ６０２とコンデンサで構成された図示しないリセット回路が接続されており、ＴＦＴ６０２にスイッチを入れることにより蓄積された電気信号をリセットするリセット動作が行われる。
【００４４】
光電変換部それぞれの間には、走査線Ｌｌと信号線Ｌｒが直交するように配設されている。前述のフォトダイオード６０１の一端にはＴＦＴ６０２が接続されており、このＴＦＴ６０２を介して信号線Ｌｒに接続されている。一方、フォトダイオード６０１の他端は、各行に配された隣接するフォトダイオード６０１の一端と接続されて共通のバイアス線Ｌｂを通じてバイアス電源６０４に接続されている。このバイアス電源６０４の一端は制御部６０に接続され、制御部６０からの指示によりバイアス線Ｌｂを通じてフォトダイオード６０１に電圧が印加される。
【００４５】
また各行に配されたＴＦＴ６０２のゲートは、共通の走査線Ｌｌに接続されており、走査線Ｌｌは、各光電変換部にパルスを送る走査駆動回路６０９を介して制御部６０に接続されている。同様に、各列に配されたフォトダイオード６０１の一端は、共通の信号線Ｌｒに接続されて制御部６０に制御される信号読み出し回路６０８に接続されている。信号読み出し回路６０８には、撮像パネル６２から近い順に、増幅器６０３、サンプルホールド回路６０５、アナログマルチプレクサ６０６、Ａ／Ｄ変換器６０７が共通の信号線Ｌｒ上に配されている。
【００４６】
信号読み出し時においては、走査駆動回路６０９が駆動してＴＦＴ６０２を通電状態とすることで、フォトダイオード６０１に蓄積された電荷が電気信号として増幅器６０３に送信される。この電気信号は、増幅器６０３により信号読み出し回路６０８が検出可能なレベルにまで増幅される。そして、増幅器６０３の電圧値はサンプルホールド回路６０５で一時的保持された後、アナログマルチプレクサ６０６に与えられる。
【００４７】
アナログマルチプレクサ６０６では、得られた電圧値をシリアルな電気信号に変換してＡ／Ｄ変換器６０７に送信し、Ａ／Ｄ変換器６０７ではこの電気信号をデジタルデータに変換する。このようにして、撮像パネル６２により放射線画像データが生成される。
【００４８】
これらの撮像パネル６２、走査駆動回路６０９、信号読み出し回路６０８、及び制御部６０が「画像データ生成部」として機能する。
【００４９】
ＦＰＤ６においては、放射線の照射がされていない場合にも、フォトダイオード６０１に微量の電荷が蓄積する、いわゆる暗電流が発生する。この暗電流現象によりフォトダイオード６０１に蓄積された電荷は、放射線画像データを得る上ではノイズとなり画像に悪影響を及ぼす。当該暗電流の影響を極力少なくするためには、撮影直前に蓄積した電荷を掃き出すことが有効である。患者Ｐに対するＸ線被爆量を極力抑えるためと、暗電流による影響の抑制とを両立させるためには、撮影時において、放射線照射装置３と同期をとる必要がある。ここでいう同期とは、（１）放射線照射装置３からの放射線照射直前にＦＰＤ６のフォトダイオード６０１の電荷をリセットさせておき、（２）放射線照射開始に合わせてフォトダイオード６０１を電荷蓄積状態にし、（３）放射線照射停止に合わせてフォトダイオード６０１に蓄積した電荷の読み出しを行うものである。本実施形態においては、撮影室１００を管理するコンソール７が、当該撮影室１００の内の放射線照射装置３の制御を行っている。
【００５０】
図４の説明に戻る。ＦＰＤ６は、その他として記憶部６６、電源部６７、充電用端子６９などを備えている。
【００５１】
記憶部６６は、不揮発性メモリやフラッシュメモリなどの書き換え可能なメモリ等からなり、撮像パネル６２から出力された数枚〜数十枚程度の放射線画像データを記憶することが可能である。この記憶部６６は内蔵型のメモリでもよいし、メモリカード等の着脱可能なメモリでもよい。
【００５２】
電源部６７は、ＦＰＤ６を構成する複数の駆動部（制御部６０、撮像パネル６２、記憶部６６など）に電力を供給する。
【００５３】
ＲＦＩＤタグ６８は、ＲＦＩＤタグ６８の各部を制御する制御回路、ＦＰＤ６の固有情報を記憶する記憶部及び電磁界や電波を送受信するアンテナなどを内蔵している（いずれも図示しない）。そして、ＲＦＩＤタグリーダ８から発信された電磁界や電波を、アンテナを介して受信すると、記憶部に記憶された識別情報を、アンテナを介してＲＦＩＤタグリーダ８に送信するように構成されている。なお、識別情報とは、例えば、各ＦＰＤ６に割り当てられた固有の識別ＩＤである。この他に、シンチレータの種類情報、サイズ情報、解像度などを含んでいてもよい。サイズ情報とは例えば六切、半切等の撮影可能サイズ、あるいはＦＰＤ６自体の大きさのことである。
【００５４】
図６は、ＦＰＤ６の要部構成を示すブロック図である。図６に示すように、ＦＰＤ６の制御系は、制御部６０、撮像パネル６２、記憶部６６、電源部６７、ＲＦＩＤタグ６８、ＲＯＭ８１、ＲＡＭ８２、通信部８３等を備え、各部はバス８４により接続されている。なお、これらのうち、撮像パネル６２、記憶部６６、電源部６７、ＲＦＩＤタグ６８については上述したため、ここでは説明を省略する。
【００５５】
ＲＯＭ８１は、不揮発性の半導体メモリ等により構成され、制御部６０で実行される制御プログラム等を記憶する。
【００５６】
ＲＡＭ８２は、制御部６０により実行制御される各種処理において、ＲＯＭ８１から読み出された制御部６０で実行可能な各種プログラム、入力若しくは出力データ、及びパラメータ等を一時的に記憶するワークエリアを形成する。
【００５７】
通信部８３は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１規格に準拠した無線ＬＡＮにより、アクセスポイント５を介して、コンソール７との間で各種情報の無線通信を行うものである。また、無線ＰＡＮなどの近距離無線通信により前室１０１内で撮影操作装置４と無線通信を行うことも可能である。
【００５８】
制御部６０は、例えば、ＣＰＵ等から構成され、ＲＯＭ８１に記憶されている制御プログラムを読み出してＲＡＭ８２内に形成されたワークエリアに展開し、当該制御プログラムに従ってＦＰＤ６の各部を制御する。例えば、当該制御部６０は通信部８３と協働して、コンソール７あるいは管理サーバ２から撮影オーダ情報を受信したり、当該撮影オーダ情報と放射線画像データとをアクセスポイント５を介してコンソール７に送信したりする。
【００５９】
［制御フロー］
ここで、放射線画像撮影システム１での制御フローについて、図７に基づいて説明する。同図に示す制御フローにおいては可搬型のＦＰＤ６が放射線技師により異なるコンソール７の管理領域に持ち運ばれた場合の制御である。異なるコンソール７の管理領域とは、例えば図１に示すように撮影室１００とコンソール７が一対一に対応している系においては、撮影室１００ａ、撮影室１００ｂ、撮影室１００ｃはそれぞれ異なるコンソール７の管理領域となる。なお一台のコンソール７が、複数の撮影室１００を管理する系であれば、その撮影室１００間の移動では、管理するコンソール７は同一であるので当該制御フローは省略することができる。
【００６０】
図７のステップＳ１１では、撮影を行うために放射線技師によりＦＰＤ６の移動が行われる。図１の例において例えば、保管室２００から撮影室１００ｃ、あるいは撮影室１００ａから撮影室１００ｃに移動された場合である。以下は、ＦＰＤ６が撮影室１００ｃに移動された場合の例について説明する。
【００６１】
ステップＳ１１の移動により、例えば移動先の撮影室１００ｃではＲＦＩＤタグリーダ８により、ＦＰＤ６の通過を検出し（ステップＳ１２）、ステップＳ１３ではＲＦＩＤタグリーダ８が読み取ったＦＰＤ６の識別ＩＤを、接続されているコンソール７ｃに送信する。
【００６２】
ＦＰＤ６の識別ＩＤを受け取ったコンソール７ｃでは、当該識別ＩＤに対応する特性情報の要求を、管理サーバ２に対して行う（ステップＳ１４）。
【００６３】
管理サーバ２では、コンソール７ｃから受信した識別ＩＤに対応する特性情報をデータベース２１から取得し、コンソール７ｃに送信する（ステップＳ１５）。
【００６４】
コンソール７ｃでは、管理サーバ２から受信した特性情報を記憶部７０に記憶する（ステップＳ１６）。またコンソール７ｃは自身の識別情報であるコンソールＩＤをＦＰＤ６に送信する。当該コンソールＩＤを送信することによりＦＰＤ６は、コンソール７ｃに管理されていることを認識させることができる。
【００６５】
ＦＰＤ６では、撮影オーダに基づく撮影を移動先の撮影室１００ｃで実施する（ステップＳ２１）。
【００６６】
ステップＳ２２では、ＦＰＤ６を管理しているコンソール７、つまりステップＳ１７の送信により受信したコンソールＩＤに対応するコンソール７ｃに対して放射線画像データの送信を行う。なお、一のコンソール７が同時に複数のＦＰＤ６を管理するようなシステムであれば、同時にＦＰＤ６の識別ＩＤを送信することが好ましい。
【００６７】
ステップＳ２３では、放射線画像データを受信したコンソール７では、当該放射線画像データに対して、ステップＳ１６で記憶部７０に記憶しておいた特性情報を用いて、画像処理部７２により演算処理を行う。
【００６８】
特性情報としては前述のようにゲイン特性、オフセット特性、欠陥画素の補正等がある。これらの特性は、適宜キャリブレーションを行って更新することができる。ゲイン特性としては、正確に把握可能な照射量に対する濃度値（出力値）を測定することにより照射量と濃度値との関係を得ることにより算出することができる。オフセット特性としては、未露光で暗画像撮影を行うことにより、暗電流に起因するオフセット値を適宜求めることができる。また欠陥画素の位置は、前述のオフセット特性やゲイン特性を求める際に、周囲の画素と比較して感度が非線形な画素や、感度がない欠落画素を、撮像パネル６２における位置情報とし把握しておくことができる。
【００６９】
ステップＳ２４では、演算処理を行った後、撮影部位に応じた階調処理、周波数強調処や粒状抑制処理等を施した放射線画像データを表示部７７に表示させる。当該表示により放射線技師は、撮影が正常に行われたことを確認でき、医師は読影診断を行うことができる。
【００７０】
なお、本実施形態においては管理サーバ２により各々のＦＰＤ６の特性情報を一元管理する例について説明したが、管理サーバ２を用いずに、各々のコンソール７の間で特性情報の移動を行うようにしてもよい。この場合は、ＦＰＤ６が移動した移動先のコンソール７は、ＦＰＤ６の識別ＩＤを手がかりに、ネットワークＮに接続されている他のコンソール７に特性情報の問い合わせを行うことにより、特性情報の受け渡しを実現することができる。
【００７１】
本実施形態によれば、可搬型のＦＰＤと、複数の制御端末を複数の撮影室で使用した場合であっても、ＦＰＤの特性情報を一元管理可能で、効率よく特性情報の呼び出し及び放射線画像データの演算処理ができる。
【００７２】
［他の実施形態］
次に他の実施形態について説明する。他の実施形態においては、システム全体で複数種類のＸ線管球を用いている場合には、Ｘ線管球に対応した特性情報が必要となる。特にＸ線管球の種類が異なるとＦＰＤ６へのゲイン特性に影響するからである。
【００７３】
具体的には、ＦＰＤ６の識別ＩＤに対応する基本的なゲイン特性に加えて、Ｘ線管球の種類に応じた（放射線画像検出装置の）ゲイン特性の情報を管理サーバ２に記憶させておく。そして当該Ｘ線管球の種類に応じたゲイン特性を用いて放射線画像データに対して演算処理を行う。
【００７４】
更に、撮影対象となる患者Ｐの部位や、撮影方向等の撮影条件毎に、それぞれのＦＰＤ６に最適化した特性情報を作成し、当該特性情報を管理サーバ２に記憶させておく。ここで、撮影条件の例について説明する。図８は撮影条件の撮影操作装置４における設定画面の例である。
【００７５】
「撮影条件」とは、撮影部位、撮影方向、撮影角度、造影の有無などである。これらは撮影操作装置４で設定することができる。図８においては撮影対象となる部位の大分類（頭部、頸部、胸部、腹部、脊椎、胸郭、上肢、下肢など）、撮影部位のグループ（大分類に属する具体的部位：大分類が頭部であれば、頭蓋骨、トルコ鞍、副鼻腔、聴器、視神経管など）、各種撮影条件（撮影方向，撮影角度，造影の有無など）が表示される。設定画面において撮影条件を設定し、当該撮影条件に応じて変更されたＸ線管球の条件で放射線撮影を実施することになる。
【００７６】
そして撮影後にＦＰＤ６からコンソール７へ、放射線画像データと前記撮影条件の情報を送信する（図７のステップＳ２２に相当）。コンソール７では、ＦＰＤ６の識別ＩＤに対応する複数の特性情報を予め管理サーバ２から取得している（同ステップＳ１６に相当）ので、これらの特性情報の中から、撮影条件に合致する特性情報を用いて放射線画像データに演算処理を行えばよい。このようにすることにより更に、適正な処理を行うことができるのでより好ましい放射線画像データを得ることができる。
【００７７】
本実施形態によれば、可搬型のＦＰＤと、複数の制御端末を複数の撮影室で使用した場合であっても、ＦＰＤの特性情報を一元管理可能で、効率よく、撮影に使用するＸ線管球に応じた特性情報の呼び出し及び放射線画像データの演算処理ができる。
【００７８】
［第２の実施形態］
次に、図９に基づき、第２の実施形態について説明する。図９は、第２の実施形態に係る放射線画像撮影システムが実行する制御フローを説明する図である。第２の実施形態においては、管理サーバ２が特性情報の送信を主体的に行う。
【００７９】
図９に示す制御フローは、図７に示した制御フローのステップＳ１３乃至Ｓ１５を変更したものであり、その他の制御フローに関しては同一であるので同符号を付すことにより説明に代える。また第２の実施形態における本体構成等は、図１乃至図６、図８に示すものと同様であり説明は省略する。
【００８０】
図９のステップＳ１３で、ＦＰＤ６の撮影室１００の所定範囲内への進入を検知したタグリーダ８は、識別ＩＤを管理サーバ２に送信する。
【００８１】
ステップＳ１５１では、管理サーバ２では、送信元タグリーダ８から送信先のコンソール７を決定する。つまりステップＳ１３で進入を検知したタグリーダ８が備え付けられている撮影室１００に対応付けられているコンソール７を決定する。
【００８２】
ステップＳ１５２では、ステップＳ１３で送信された識別ＩＤに対応する特性情報を、ステップＳ１５１で決定したコンソール７へ送信する。
【００８３】
特性情報を受信したコンソール７ではステップＳ１６で、当該特性情報を記憶し、以下は図７と同様にステップＳ１７以降の制御フローを実行する。
【００８４】
本実施形態のように、管理サーバ２側が主体的に、コンソール７への特性情報の送信を行うようにしても、ＦＰＤの特性情報を一元管理可能で、効率よく、撮影に使用するＸ線管球に応じた特性情報の呼び出し及び放射線画像データの演算処理ができる。
【図面の簡単な説明】
【００８５】
【図１】本実施形態における放射線画像撮影システム１の概略構成を示す図である。
【図２】コンソール７の要部構成を示すブロック図である。
【図３】ＦＰＤカセッテ６の要部構成を示すブロック図である。
【図４】ＦＰＤカセッテ６の斜視図である。
【図５】放射線画像撮影システムが実行する制御フローを説明する図である。
【図６】コンソール７の表示部７７に表示させた撮影オーダ情報リストの一例を示す図である。
【図７】コンソール７の表示部７７に表示させた撮影オーダ情報とカセッテＩＤとの対応付けを行う設定画面の一例を示す図である。
【図８】他の実施形態における放射線画像撮影システム１の概略構成を示す図である。
【図９】第２の実施形態に係る放射線画像撮影システムが実行する制御フローを説明する図である。
【符号の説明】
【００８６】
２  管理サーバ
３  放射線照射装置
３１  高圧電源
３２  フィラメント
３３  回転陽極
４  撮影操作装置
５  アクセスポイント
６  ＦＰＤ（放射線画像検出装置）
６８  ＲＦＩＤタグ
７ａ、７ｂ、７ｃ  コンソール
７７  表示部
８  ＲＦＩＤタグリーダ
１００ａ、１００ｂ  撮影室
２００  保管室
【図１】
2010057708.tif 000003
【図２】
2010057708.tif 000004
【図３】
2010057708.tif 000005
【図４】
2010057708.tif 000006
【図５】
2010057708.tif 000007
【図６】
2010057708.tif 000008
【図７】
2010057708.tif 000009
【図８】
2010057708.tif 000010
【図９】
2010057708.tif 000011